(57)【要約】【課題】複数のコネクタを所定の位置関係を維持したまま容易に搬送すること。【解決手段】コネクタ保持用枠体３０は、複数のコネクタ１０を配設可能な内部空間を有する枠部３２と、枠部３２内を仕切る仕切部３４と、を備え、枠部３２内に、枠部３２と仕切部３４とにより、複数のコネクタ１０を、所定の位置関係を維持した状態で挿入保持可能な孔部３６が複数形成され、複数の孔部３６のそれぞれに挿入されたコネクタ１０をその挿入方向前方に抜止め状に係止可能な係止部３８をさらに備えている。【選択図】図３
2010218930.tif 000002
【特許請求の範囲】
【請求項１】
複数のコネクタを配設可能な内部空間を有する枠部と、
前記枠部内を仕切る仕切部と、
を備え、
前記枠部内に、前記枠部と前記仕切部とにより、前記複数のコネクタを、所定の位置関係を維持した状態で挿入保持可能な孔部が複数形成され、
前記複数の孔部のそれぞれに挿入された前記コネクタをその挿入方向前方に抜止め状に係止可能な係止部をさらに備えている、コネクタ保持用枠体。
【請求項２】
請求項１記載のコネクタ保持用枠体にセット可能なコネクタ抜止用保持部材であって、
前記複数の孔部に対する前記コネクタの挿入方向において、前記コネクタ保持用枠体を挟んで対向配設可能な第１爪部と第２爪部とを備え、
前記第１爪部と前記第２爪部とのうち少なくとも一方が、前記コネクタの挿入方向において前記コネクタを抜止め状に保持可能に構成された、コネクタ抜止用保持部材。
【請求項３】
請求項１記載のコネクタ保持用枠体を所定位置に支持した状態で、請求項２記載のコネクタ抜止用保持部材を前記コネクタ保持用枠体にセットするための枠体保持部材であって、
前記複数のコネクタをそれぞれ前記複数の孔部に挿入可能な態様で前記コネクタ保持用枠体を配設可能な凹部を有し、前記凹部内に前記コネクタ保持用枠体が配設された状態で前記コネクタ抜止用保持部材の第２爪部を前記コネクタ保持用枠体に対して前記凹部の底部側に配設するようにして前記コネクタ抜止用保持部材を配設可能なスリット部が形成された枠体保持本体部と、
前記枠体保持本体部を一定位置に支持可能な支持部と、
を備えている枠体保持部材。
【請求項４】
複数のコネクタに対する導通検査を行う導通検査装置において、請求項２記載のコネクタ抜止用保持部材をセットした請求項１記載のコネクタ保持用枠体に挿入された前記複数のコネクタを、一定位置に保持する導通検査装置用のコネクタ保持部材であって、
前記複数のコネクタが挿入された前記コネクタ保持用枠体を一側方から挿入することで、前記コネクタの先端部を露出させた状態で前記コネクタ保持用枠体を保持可能な検査用保持部と、
前記検査用保持部に対する前記コネクタ保持用枠体の挿入方向に対して反対側に向けて突出し、前記コネクタ保持用枠体が前記検査用保持部に挿入されるのに伴って、前記コネクタ保持用枠体にセットされた前記コネクタ抜止用保持部材を、押出すようにして前記コネクタ保持用枠体から外すと共に、前記コネクタ抜止用保持部材の代わりに前記コネクタを抜止め状に保持可能な抜止部と、
を備えている導通検査装置用のコネクタ保持部材。
【発明の詳細な説明】
【技術分野】
【０００１】
複数のコネクタを保持する技術に関する。
【背景技術】
【０００２】
ワイヤーハーネスの組立工程において複数のコネクタを保持する技術として、特許文献１に開示のものがある。特許文献１は、端子付き電線が挿入される連結式の複数のコネクタを連結に最適な位置関係で保持する保持部と、保持部をワイヤーハーネスの組立作業台上に立設するための支柱とからなる連結式コネクタ用保持具を開示している。
【０００３】
特許文献１では、上記構成により、連結後のコネクタにおける電線の突っ張り、弛み等の発生が防止される。
【先行技術文献】
【特許文献】
【０００４】
【特許文献１】特開２００１−９３３６０号公報
【発明の概要】
【発明が解決しようとする課題】
【０００５】
ところで、ワイヤーハーネスを構成する電線の各端部に接続されるコネクタの中には、連結式か否かに拘らず、共通する電気接続箱に所定の位置関係で接続されるものがある。かかる場合、複数のコネクタを所定の位置関係を維持したまま搬送することができれば、次の検査工程や電気接続箱への接続工程での作業性に優れる。
【０００６】
しかしながら、特許文献１に開示の連結式コネクタ用保持具では、複数のコネクタを、所定の位置関係を維持したまま搬送することができない。
【０００７】
そこで、本発明は、複数のコネクタを所定の位置関係を維持したまま容易に搬送することを目的とする。
【課題を解決するための手段】
【０００８】
第１の態様に係るコネクタ保持用枠体は、複数のコネクタを配設可能な内部空間を有する枠部と、前記枠部内を仕切る仕切部と、を備え、前記枠部内に、前記枠部と前記仕切部とにより、前記複数のコネクタを、所定の位置関係を維持した状態で挿入保持可能な孔部が複数形成され、前記複数の孔部のそれぞれに挿入された前記コネクタをその挿入方向前方に抜止め状に係止可能な係止部をさらに備えている。
【０００９】
第２の態様に係るコネクタ抜止用保持部材は、第１の態様に係るコネクタ保持用枠体にセット可能なコネクタ抜止用保持部材であって、前記複数の孔部に対する前記コネクタの挿入方向において、前記コネクタ保持用枠体を挟んで対向配設可能な第１爪部と第２爪部とを備え、前記第１爪部と前記第２爪部とのうち少なくとも一方が、前記コネクタの挿入方向において前記コネクタを抜止め状に保持可能に構成されている。
【００１０】
第３の態様に係る枠体保持部材は、第１の態様に係るコネクタ保持用枠体を所定位置に支持した状態で、第２の態様に係るコネクタ抜止用保持部材を前記コネクタ保持用枠体にセットするための枠体保持部材であって、前記複数のコネクタをそれぞれ前記複数の孔部に挿入可能な態様で前記コネクタ保持用枠体を配設可能な凹部を有し、前記凹部内に前記コネクタ保持用枠体が配設された状態で前記コネクタ抜止用保持部材の第２爪部を前記コネクタ保持用枠体に対して前記凹部の底部側に配設するようにして前記コネクタ抜止用保持部材を配設可能なスリット部が形成された枠体保持本体部と、前記枠体保持本体部を一定位置に支持可能な支持部と、を備えている。
【００１１】
第４の態様に係る導通検査装置用のコネクタ保持部材は、複数のコネクタに対する導通検査を行う導通検査装置において、第２の態様に係るコネクタ抜止用保持部材をセットした第１の態様に係るコネクタ保持用枠体に挿入された前記複数のコネクタを、一定位置に保持する導通検査装置用のコネクタ保持部材であって、前記複数のコネクタが挿入された前記コネクタ保持用枠体を一側方から挿入することで、前記コネクタの先端部を露出させた状態で前記コネクタ保持用枠体を保持可能な検査用保持部と、前記検査用保持部に対する前記コネクタ保持用枠体の挿入方向に対して反対側に向けて突出し、前記コネクタ保持用枠体が前記検査用保持部に挿入されるのに伴って、前記コネクタ保持用枠体にセットされた前記コネクタ抜止用保持部材を、押出すようにして前記コネクタ保持用枠体から外すと共に、前記コネクタ抜止用保持部材の代わりに前記コネクタを抜止め状に保持可能な抜止部と、を備えている。
【発明の効果】
【００１２】
第１の態様に係るコネクタ保持用枠体によると、複数のコネクタを、対応する各孔部に挿入することにより、所定の位置関係に維持できる。このため、複数のコネクタを、コネクタ保持用枠体に配設して所定の位置関係を維持した状態で、容易に搬送することができる。また、コネクタが、孔部に挿入されると挿入方向前方に抜止め状に保持されるため、コネクタを孔部内で容易に位置決めできる。
【００１３】
第２の態様に係るコネクタ抜止用保持部材によると、コネクタ保持用枠体の孔部に挿入された複数のコネクタを、その挿入方向に抜止め状に保持する。このため、複数のコネクタが、搬送時にコネクタ保持用枠体の孔部から抜出すことを防止することができ、容易にワイヤーハーネスの搬送を行うことができる。
【００１４】
第３の態様に係る枠体保持部材によると、コネクタ保持用枠体を所定位置に支持した状態で、コネクタを孔部に挿入可能であると共にコネクタ抜止用保持部材をセット可能である。このため、ワイヤーハーネスの組立作業台上で複数のコネクタを所定の位置関係で維持し、その後、そのままの状態で容易に搬送することができる。
【００１５】
第４の態様に係る導通検査装置用のコネクタ保持部材によると、検査用保持部に、複数のコネクタが挿入されたコネクタ保持用枠体を一側方から挿入することで、コネクタの先端部を露出させた状態でコネクタ保持用枠体が保持される。そして、検査用保持部にコネクタ保持用枠体が挿入されるとき、抜止部により、コネクタ抜止用保持部材が押出されてコネクタ保持用枠体から外され、コネクタが抜止め状に保持される。このため、複数のコネクタを、所定の位置関係に維持したまま一括して導通検査することができる。また、コネクタ保持用枠体からコネクタ抜止用保持部材を外す作業をコネクタ保持用枠体を検査用保持部に挿入する作業と同時に一作業として行えるため、作業効率を向上させることができる。
【図面の簡単な説明】
【００１６】
【図１】コネクタを示す斜視図である。
【図２】電気接続箱を示す斜視図である。
【図３】コネクタ保持用枠体を示す斜視図である。
【図４】コネクタ保持用枠体を示す平面図である。
【図５】図４のＶ−Ｖ線断面においてコネクタ保持用枠体にコネクタを挿入した状態を示す図である。
【図６】コネクタ抜止用保持部材を示す斜視図である。
【図７】コネクタ抜止用保持部材セット時のコネクタ保持用枠体の側面図である。
【図８】コネクタ抜止用保持部材セット時のコネクタ保持用枠体の正面図である。
【図９】枠体保持部材を示す斜視図である。
【図１０】枠体保持部材を示す平面図である。
【図１１】枠体保持部材を示す正面図である。
【図１２】枠体保持部材を示す側面図である。
【図１３】導通検査装置用のコネクタ保持部材を示す斜視図である。
【図１４】導通検査装置用のコネクタ保持部材を示す平面図である。
【図１５】導通検査装置用のコネクタ保持部材を示す正面図である。
【図１６】導通検査装置の概略図である。
【発明を実施するための形態】
【００１７】
｛実施形態｝
本実施形態に係るコネクタ保持用枠体、コネクタ抜止用保持部材及び枠体保持部材は、ワイヤーハーネスを構成する電線の各端部の端子が取り付けられた複数のコネクタを、それぞれ所定の位置関係で維持した状態で搬送可能にするためのものである。また、本実施形態に係る導通検査装置用のコネクタ保持部材は、所定の位置関係で維持した複数のコネクタを一括して導通検査に供するためのものである。
【００１８】
以下、本実施形態に係るコネクタ保持用枠体、コネクタ抜止用保持部材、枠体保持部材及び導通検査装置用のコネクタ保持部材について詳しく説明する。
【００１９】
＜１．コネクタの構造＞
説明の便宜上、まず、対象であるコネクタについて説明する。図１はコネクタ１０を示す斜視図、図２は複数のコネクタ１０を接続する電気接続箱９０を示す斜視図である。なお、図２では、コネクタ１０を二点差線で簡略化して示している。
【００２０】
本コネクタ１０は、ワイヤーハーネスＷＨを構成する各電線Ｗ端部の端子に取り付けられるものである。ワイヤーハーネスＷＨは、自動車等に用いられる信号線、電源線等の種々の配線材を、組付け対象となる配線路等に応じて適宜分岐させた形態で結束したものであり、複数の電線Ｗ、電線Ｗの端部に取り付けられたコネクタ１０等により構成されている。このワイヤーハーネスＷＨは、組立作業台（図板）上で、複数の電線Ｗ等を実際の配設位置関係で配設して、結束することにより組み立てられる。そして、電線Ｗの端部に取り付けられた複数のコネクタ１０は、ワイヤーハーネスＷＨの組立完了後、別の場所で電気接続箱９０にまとめて接続される。以下、図２に示す電気接続箱９０の接続穴部９２の配列でコネクタ１０を接続する例で説明する。なお、電気接続箱９０の接続穴部９２の数及び配列は、接続されるコネクタ１０の数や大きさに応じて変わるものである。
【００２１】
このコネクタ１０は、電線Ｗの端部に接続された図示されない端子を挿入配設可能な端子収容部１４を有するハウジング本体部１２に、係止爪部１６及び溝部１８が形成された構造である。
【００２２】
ハウジング本体部１２は、略直方体に形成されており、複数の端子収容部１４が形成されている。また、ハウジング本体部１２の先端部（図１において下側部分）には、端子収容部１４に挿入された電線Ｗ端部の端子にそれぞれ接続端子等を接触可能に形成された図示省略の接続孔が端子収容部１４に応じて形成されている。
【００２３】
係止爪部１６は、ハウジング本体部１２の外側面に、外方に向かって突出状に形成されている。より具体的には、係止爪部１６の形状は、電線Ｗ端部の端子挿入方向（図１の上下方向下向き）前方から後方に向かって徐々に突出寸法が大きくなる爪形状である。ここでは、係止爪部１６は、ハウジング本体部１２の外側面のうち、対向する二面に一箇所ずつ設けられている。
【００２４】
この係止爪部１６は、本来、コネクタ１０を電気接続箱９０に接続する際に、電気接続箱９０に形成されたコネクタ１０を挿入可能なコネクタ接続穴部９２の内部に係止してコネクタ１０を抜止め状に保持するために形成されたものである。
【００２５】
この係止爪部１６は、後述するコネクタ抜止用保持部材４０を複数のコネクタ１０が挿入された後述のコネクタ保持用枠体３０にセットした状態で、当該コネクタ抜止用保持部材４０の第１爪部４２に係止可能である。これにより、コネクタ１０がコネクタ保持用枠体３０に抜止め状に保持される。係止爪部１６とコネクタ抜止用保持部材４０との関係については後で詳述する。
【００２６】
溝部１８は、ハウジング本体部１２の外側面に、端子収容部１４に対する電線Ｗ端部の端子挿入方向に沿って、その先端から中途部まで溝形状に形成されている。この溝部１８の端縁部１９（溝部１８の電線Ｗ挿入方向後方側端部）は、コネクタ１０が後述するコネクタ保持用枠体３０の孔部３６に挿入されたとき、孔部３６内に形成されている係止部３８に係止可能である。この溝部１８の深さ寸法は、上記係止部３８の突出寸法と略同寸法である（ここでは僅かに大きい）。ここでは、溝部１８は、ハウジング本体部１２の外側面のうち３面に形成されている。
【００２７】
この溝部１８は、本来、コネクタ１０が電気接続箱９０に接続される際、コネクタ１０を、電気接続箱９０の図示省略の接続端子がコネクタ１０に挿入されている電線Ｗに正確に接続される位置に挿入されるよう案内するために形成されたものである。
【００２８】
＜２．コネクタ保持用枠体＞
次に、コネクタ保持用枠体について説明する。図３はコネクタ保持用枠体３０を示す斜視図、図４はコネクタ保持用枠体３０を示す平面図、図５は図４のＶ−Ｖ線断面においてコネクタ保持用枠体３０にコネクタ１０を挿入した状態を示す図である。なお、図２では、コネクタ１０を二点差線で簡略化して示している。また、図５で、電線Ｗを二点差線で簡略化して示している。
【００２９】
コネクタ保持用枠体３０は、複数のコネクタ１０を配設可能な内部空間を有する枠部３２と、枠部３２内を仕切る仕切部３４とを備えている。そして、枠部３２内には、枠部３２と仕切部３４とにより、複数のコネクタ１０を、所定の位置関係を維持した状態で挿入保持可能な孔部３６が複数形成されている。ここでは、コネクタ保持用枠体３０は、複数のコネクタ１０を、電気接続箱９０に接続される配列と略同じ位置関係に維持可能である。
【００３０】
より具体的には、枠部３２は、電気接続箱９０のコネクタ挿入方向に直交する平面方向の寸法と略同じ大きさの略直方体の枠状に形成されている。
【００３１】
また、仕切部３４は、枠部３２の開口方向（コネクタ挿入方向Ｐ）に略直交する平面方向において、枠部３２内を枠部３２の内側面に略平行或いは略直交方向に仕切っている。ここでは、仕切部３４は、直線状仕切部３５ａと細部仕切部３５ｂとを有している。直線状仕切部３５ａは、コネクタ挿入方向Ｐに略直交する平面の少なくとも一方向（整列方向Ｓ）において、枠部３２の一方側の辺部分から他方側の辺部分に亘って延在するようにして、略直線状に枠部３２内を仕切っている。このような直線状仕切部３５ａは、間隔をあけて略並列状に延びるように複数（ここでは２つ）設けられている。細部仕切部３５ｂは、枠部３２或いは直線状仕切部３５ａにより区画された細長方形状の空間をさらに仕切っている。これにより、複数の孔部３６が整列方向Ｓに沿って略直線上に整列され、これが複数列形成されている。また、複数の孔部３６が並ぶ各列間に直線状仕切部３５ａが存在している。そして、コネクタ保持用枠体３０に後述するコネクタ抜止用保持部材４０がセットされる際、第１爪部４２と第２爪部４４とが直線状仕切部３５ａに沿って配設されるようになっている。コネクタ抜止用保持部材４０のセットについては後で詳述する。
【００３２】
そして、枠部３２と仕切部３４により形成されている孔部３６は、略直方体の内部空間を有する。この孔部３６の大きさは、複数のコネクタ１０をそれぞれ挿入可能でかつ所定の位置関係で保持可能な（ここではコネクタ挿入方向Ｐに略直交する平面方向で対応するコネクタ１０より僅かに大きい）大きさである。
【００３３】
また、上記複数の孔部３６は、挿入されたそれぞれのコネクタ１０を、その先端部を孔部３６から露出させた状態で保持可能に形成されている。すなわち、孔部３６は、コネクタ挿入方向Ｐで貫通する孔形状である。より具体的には、孔部３６のうちコネクタ挿入方向Ｐ前方の開口形状は、コネクタ１０の先端部より大きい。
【００３４】
これにより、コネクタ１０の導通検査を行う際、複数のコネクタ１０をコネクタ保持用枠体３０に保持した状態で、後述する導通検査装置８０の検査プローブ８２をコネクタ１０先端部の接続孔から端子収容部１４内に挿入することができる。
【００３５】
さらに、コネクタ保持用枠体３０は、複数の孔部３６のそれぞれに挿入されたコネクタ１０をその挿入方向Ｐ前方に抜止め状に係止可能な係止部３８を備えている。この係止部３８は、孔部３６の内側面から孔部３６内に突出するように形成されている。そして、この係止部３８は、コネクタ１０が孔部３６内に挿入されたとき、コネクタ１０の溝部１８の端縁部１９に係止可能である（図５参照）。より具体的には、係止部３８は、コネクタ１０の係止爪部１６の先端が孔部３６のコネクタ挿入方向Ｐ後方側開口縁部と略同一面上に配設される位置で溝部１８の端縁部１９に係止する。このとき、コネクタ１０は、その先端部がコネクタ保持用枠体３０のコネクタ挿入方向Ｐ前方側に突出された状態で、当該コネクタ挿入方向Ｐに抜止めするように保持される。
【００３６】
＜３．コネクタ抜止用保持部材＞
上記コネクタ保持用枠体３０により、それぞれの孔部３６に挿入された複数のコネクタ１０は、電気接続箱９０に接続される配列と略同じ位置関係で、コネクタ挿入方向Ｐ前方側に抜止め状に保持される。保持された複数のコネクタ１０は、ワイヤーハーネスＷＨの組立完了後、ワイヤーハーネスＷＨの後工程等への搬送により移動を要される。この際、搬送容易性の面から、コネクタ挿入方向Ｐ後方側にも抜止めされていると便利である。抜止めする手段として、コネクタ保持用枠体３０に複数のコネクタ１０をバンド等で巻き付けることが考えられる。これにより、コネクタ１０の抜止めが可能となる。しかしながら、バンドでコネクタ１０を保持する場合、コネクタ挿入方向Ｐ後方側に抜止めするために、コネクタ１０をその挿入方向Ｐ両側から押さえることとなる。つまり、コネクタ１０に取り付けられている複数の電線Ｗがコネクタ１０と一緒にバンドで巻き付けられる。そうすると、電線Ｗには、バンドの締付け力による折れ等のクセが付き、品質悪化の恐れも生じる。
【００３７】
そこで、次に、上記点を踏まえてコネクタ１０を抜止めするコネクタ抜止用保持部材４０について説明する。図６はコネクタ抜止用保持部材４０を示す斜視図、図７はコネクタ抜止用保持部材４０セット時のコネクタ保持用枠体の側面図、図８はコネクタ抜止用保持部材４０セット時のコネクタ保持用枠体の正面図である。なお、図８では、電線Ｗを二点差線で簡略化して示している。
【００３８】
コネクタ抜止用保持部材４０は、複数の孔部３６に対するコネクタ１０の挿入方向Ｐにおいて、コネクタ保持用枠体３０を挟んで対向配設可能な第１爪部４２と第２爪部４４とを備えている。より具体的には、コネクタ抜止用保持部材４０は、第１爪部４２と第２爪部４４とが基礎部４６に一体形成され、この基礎部４６から一方向に向けて略並行姿勢で延出するように構成されている。このコネクタ抜止用保持部材４０では、第１爪部４２と第２爪部４４とは、対になり、１組又は複数組設けられている。第１爪部４２及び第２爪部４４の組数は、整列方向Ｓにおける孔部３６の列間の数と同数だけ設けられる。ここでは、整列方向Ｓにおける孔部３６の列数が３列であるので、その列間の数に応じて２組の第１爪部４２及び第２爪部４４が基礎部４６に支持されている。
【００３９】
この第１爪部４２及び第２爪部４４は、整列方向Ｓにおける枠部３２の寸法と同じかそれより大きい延出寸法に形成されている。この寸法は、コネクタ保持用枠体３０に挿入された複数のコネクタ１０全てを抜止め状に保持可能な寸法である。また、対向する第１爪部４２と第２爪部４４とは、コネクタ挿入方向Ｐにおけるコネクタ保持用枠体３０の寸法と同じかそれより大きい（ここでは僅かに大きい）間隔を空けて基礎部４６に支持されている。第１爪部４２及び第２爪部４４の厚さ寸法は、コネクタ保持用枠体３０において仕切部３４の直線状仕切部３５ａの厚さより厚く形成されている。
【００４０】
また、コネクタ抜止用保持部材４０は、第１爪部４２と第２爪部４４とのうち少なくとも一方が、コネクタ１０の挿入方向Ｐにおいてコネクタ１０を抜止め状に保持可能に構成されている。より具体的には、コネクタ抜止用保持部材４０がコネクタ保持用枠体３０にセットされたとき、コネクタ保持用枠体３０に対して、第１爪部４２はコネクタ挿入方向Ｐ後方側に、第２爪部４４はコネクタ挿入方向Ｐ前方側に配設される。ここでは、第１爪部４２がコネクタ１０を抜止め状に保持している。
【００４１】
上記第１爪部４２は、コネクタ抜止用保持部材４０がコネクタ保持用枠体３０にセットされたとき、複数のコネクタ１０の係止爪部１６に係止可能である。より具体的には、第１爪部４２は、直線状仕切部３５ａに沿って、コネクタ保持用枠体３０のコネクタ挿入方向Ｐ後方側から突出している複数のコネクタ１０の後端部の間に配設される。この状態で、第１爪部４２の第２爪部側端部が、仕切部３４の直線状仕切部３５ａ側に位置する係止爪部１６に係止して、複数のコネクタ１０を抜止め状に保持する。
【００４２】
ここでは、第１爪部４２の厚さ寸法は、直線状仕切部３５ａの厚さ寸法より大きく、直線状仕切部３５ａを挟む複数コネクタ１０の係止爪部１６より後端側部分の隙間より小さく設定されている。つまり、第１爪部４２は、直線状仕切部３５ａに沿って複数のコネクタ１０の後端部の間に配設可能である。そして、第１爪部４２は、コネクタ抜止用保持部材４０がコネクタ保持用枠体３０にセットされたとき、厚さ方向両端部が複数の孔部３６のそれぞれの内部空間の直線状仕切部３５ａ側に被る位置に配設される。これにより、第１爪部４２の厚さ方向両端部が仕切部３４の直線状仕切部３５ａ側に位置する係止爪部１６に係止可能となる。
【００４３】
また、第１爪部４２は、先端部４２ａが先細り状に形成されている。ここでは、第１爪部４２の先端部４２ａは、コネクタ挿入方向Ｐにおいて、先端側に向かって第２爪部４４側に傾斜し、その先端に近づくにつれて徐々に細くなっている。また、この先端部４２ａの最先端部は、丸められている。より具体的には、この先端部４２ａは、先細り状に形成されたその最先端部が、コネクタ保持用枠体３０からコネクタ挿入方向Ｐ後方に突出しているコネクタ１０の後端と同位置又はそれよりコネクタ保持用枠体３０側に位置するように形成されている。つまり、コネクタ抜止め保持部材４０をコネクタ保持用枠体３０にセットするとき、第１爪部４２は、その最先端部がコネクタ挿入方向Ｐ後方に突出しているコネクタ１０の後端部の間を通って保持位置に配設される。
【００４４】
ここで、先端部４２ａは、コネクタ抜止用保持部材４０のセット時に、複数のコネクタ１０に取り付けられている各電線Ｗに引っ掛かることを抑制できる程度に、曲線状に又は滑らかな曲線状に形成されていることが好ましい。
【００４５】
また、第１爪部４２の先端部４２ａより基端部４２ｂ側部分は、第１爪部４２と第２爪部４４とを結ぶ方向（コネクタ挿入方向Ｐ）において、コネクタ１０の後端部の突出寸法より大きい寸法に形成されている。ただし、第１爪部４２と第２爪部４４とを結ぶ方向における第１爪部４２の寸法は、上記寸法に限られるものではない。つまり、コネクタ抜止用保持部材４０をセットしたコネクタ保持用枠体３０を検査用保持部７２に挿入する際に、柱状抜止部７８に当接して、コネクタ抜止用保持部材４０を押出し可能であればよい。
【００４６】
第２爪部４４は、コネクタ抜止用保持部材４０がコネクタ保持用枠体３０にセットされたとき、コネクタ保持用枠体３０のコネクタ挿入方向Ｐ前方側端部に当接可能である。ここでは、第２爪部４４は、それぞれの直線状仕切部３５ａに沿って、コネクタ保持用枠体３０のコネクタ挿入方向Ｐ前方側端部に当接する。すなわち、第２爪部４４は、コネクタ保持用枠体３０のコネクタ挿入方向Ｐ前方側から突出している複数のコネクタ１０の先端部の間に配設される。そして、第２爪部４４は、コネクタ抜止用保持部材４０のコネクタ挿入方向Ｐ後方への移動を制限して、第１爪部４２をコネクタ１０の係止爪部１６に係止する位置に維持する（図８参照）。
【００４７】
また、コネクタ抜止用保持部材４０が抜止めするためにコネクタ１０に当接する部分は、係止爪部１６に限られない。コネクタ１０の後端面等の端面、その他各種凹凸部位に当接して抜止めを図る構成であってもよい。
【００４８】
また、コネクタ抜止用保持部材４０は、第１爪部４２及び第２爪部４４のうち一方が複数のコネクタ１０に係止する構成であっても、第１爪部４２及び第２爪部４４の両方が複数のコネクタ１０に係止する構成であってもよい。つまり、コネクタ抜止用保持部材４０は、コネクタ保持用枠体３０に挿入された複数のコネクタ１０を少なくとも一方で抜止め状に保持可能であればよい。例えば、コネクタ抜止用保持部材４０は、第１爪部４２がコネクタ１０の先端に係止し、第２爪部４４が後端に係止する構成でもよいし、また、第１爪部４２が係止爪部１６に係止し、第２爪部４４がコネクタ１０の後端に係止する構成でもよい。
【００４９】
＜４．枠体保持部材＞
次に、枠体保持部材５０について説明する。図９は枠体保持部材５０を示す斜視図、図１０は枠体保持部材５０を示す平面図、図１１は枠体保持部材５０を示す正面図、図１２は枠体保持部材５０を示す側面図である。なお、枠体保持部材５０において、後述するスリット部５６が形成されている側を正面、後述する枠体取出部５７が形成されている側を側面としている。また、図１１において支持対象部６８を二点差線で示し、図１２においてコネクタ保持用枠体３０、コネクタ抜止用保持部材４０及び支持対象部６８を二点差線で示している。
【００５０】
枠体保持部材５０は、枠体保持本体部５２と支持部６０とを備えている。
【００５１】
枠体保持本体部５２は、複数のコネクタ１０をそれぞれ複数の孔部３６に挿入可能な態様でコネクタ保持用枠体３０を配設可能な凹部５４を有している。凹部５４は、一方が開口する略直方体の内部空間を形成する凹形状に形成されている。ここでは、凹部５４は、その開口方向と、コネクタ保持用枠体３０の複数の孔部３６に対するコネクタ１０挿入方向Ｐとが略一致する姿勢で、コネクタ保持用枠体３０を配設可能である。そして、凹部５４は、凹部５４に対するコネクタ保持用枠体３０の挿入方向（コネクタ挿入方向Ｐ）に直交する平面方向において、コネクタ保持用枠体３０より僅かに大きく形成されている。この凹部５４内にコネクタ保持用枠体３０を配設したとき、孔部３６は、凹部５４の開口を通じてその外方に臨む。すなわち、この凹部５４の開口を通じて、凹部５４内に配設されたコネクタ保持用枠体３０の孔部３６に、複数のコネクタ１０を挿入可能である。
【００５２】
また、枠体保持本体部５２には、凹部５４内にコネクタ保持用枠体３０が配設された状態で、コネクタ抜止用保持部材４０の第２爪部４４をコネクタ保持用枠体３０に対して凹部５４の底部５５側に配設するようにして、コネクタ抜止用保持部材４０を配設可能なスリット部５６が形成されている。より具体的には、スリット部５６は、枠体保持部材５０に保持されているコネクタ保持用枠体３０に対して、コネクタ抜止用保持部材４０を、枠体保持本体部５２の側方から当該スリット部５６を介してセット可能に形成されている。
【００５３】
スリット部５６は、枠体保持本体部５２の対向する一対の側壁に、対向する位置に形成されている。より具体的には、スリット部５６は、コネクタ保持用枠体３０の挿入方向（コネクタ挿入方向Ｐ）に沿って、凹部５４の開口側から底部５５側に向かって形成されている。このスリット部５６の幅寸法は、第１爪部４２及び第２爪部４４の幅寸法より大きく（ここでは、僅かに大きく）設定されている。また、スリット部５６の深さ寸法は、第２爪部４４を凹部５４の底部５５側に配設したとき、第１爪部４２の第２爪部４４側端部をスリット部５６内に配設可能な寸法である。つまり、スリット部５６は、コネクタ抜止用保持部材４０の第１爪部４２及び第２爪部４４の双方を、コネクタ保持用枠体３０にコネクタ１０を抜止め状に保持可能な位置に案内可能な寸法に設定されている。そして、このスリット部５６は、間隔を空けて、コネクタ抜止用保持部材４０の第１爪部４２及び第２爪部４４の対の組数だけ上記各側壁に形成される。ここでは、コネクタ抜止用保持部材４０には２対の第１爪部４２及び第２爪部４４が設けられているため、スリット部５６は、各側壁の第１爪部４２及び第２爪部４４の配設位置に対応する位置に、２箇所ずつ対向するように形成されている。
【００５４】
さらに、枠体保持本体部５２には、凹部５４内に配設されたコネクタ保持用枠体３０に対して、凹部５４の底部５５側にコネクタ抜止用保持部材４０の第２爪部４４を、開口側に第１爪部４２を配設可能な位置に、コネクタ保持用枠体３０を支持可能な枠体支持部５８が形成されている。すなわち、枠体支持部５８は、コネクタ保持用枠体３０を、凹部５４内で、コネクタ抜止用保持部材４０をセット可能な位置に支持可能である。
【００５５】
枠体支持部５８は、凹部５４内側面から凹部５４内側に向かって突出状に形成されている。ここでは、枠体支持部５８は、凹部５４が有する内部空間の底部５５側を帯状に囲むように形成されている。この帯状の枠体支持部５８の幅寸法（コネクタ保持用枠体３０の挿入方向寸法）は、第１爪部４２と第２爪部４４とを結ぶ方向における第２爪部４４の寸法と略同寸法に（ここでは僅かに大きく）設定されている。枠体支持部５８は、その開口側端部に、凹部５４内に挿入されたコネクタ保持用枠体３０の挿入方向前方側に当接可能な枠体当接部５９を有している。そして、コネクタ保持用枠体３０は、凹部５４内に挿入されたとき、この枠体当接部５９に当接することにより一定位置に支持される。ここでは、コネクタ保持用枠体３０は、凹部５４の底部５５との間にコネクタ抜止用保持部材４０の第２爪部４４を配設可能な隙間を空けた位置に配設される。
【００５６】
ここで、枠体保持本体部５２がコネクタ保持用枠体３０を支持する構成は、上記のものに限られず、コネクタ抜止用保持部材４０をセット可能な位置にコネクタ保持用枠体３０を支持可能であればよい。例えば、凹部５４の底部５５に第２爪部４４を配設可能な溝部が形成されていてもよい。
【００５７】
また、枠体保持本体部５２は、凹部５４に配設されるコネクタ保持用枠体３０を抜止め可能な枠体抜止部５３を備えている。この枠体抜止部５３は、凹部５４内に挿入したコネクタ保持用枠体３０を枠体支持部５８で支持した状態で、コネクタ保持用枠体３０に係止可能に配設されている。より具体的には、枠体抜止部５３は、コネクタ保持用枠体３０の挿入方向（コネクタ挿入方向Ｐ）において、凹部５４内に配設されたコネクタ保持用枠体３０の後端縁部に係止可能な位置に配設されている。ここでは、枠体抜止部５３は、凹部５４内側面のうち、スリット部５６が形成された対向する側面にそれぞれ一箇所ずつ、対角の側方に配設されている。この位置は、コネクタ保持用枠体３０の抜出しを抑制可能な位置である。
【００５８】
また、ここでは、枠体抜止部５３として、ボールプランジャーが採用されている。ボールプランジャーは、ケース内で直線方向に移動可能でその一端側で一部を露出可能に配設されたボールを、バネにより露出側に付勢する構成を有する機械部品である。そして、ボールプランジャーは、枠体保持本体部５２には、ボールの露出部分が凹部５４内に突出可能な位置に配設されている。このボールプランジャーは、枠体保持部材５０に対してコネクタ保持用枠体３０を挿入、取出しする際には、コネクタ保持用枠体３０の外側面で押圧されてボールがケース内に押し込まれる。また、コネクタ保持用枠体３０が凹部５４内で枠体支持部５８に支持されている状態では、ボールプランジャーは、ボールがバネにより露出方向に付勢されてコネクタ保持用枠体３０に係止する。これにより、コネクタ保持用枠体３０にコネクタ１０を挿入する際に、コネクタ保持用枠体３０が凹部５４内から抜出すことを防止することができる。
【００５９】
ここで、枠体抜止部５３は、ボールプランジャーに限られるものではなく、コネクタ保持用枠体３０を凹部５４内に抜止め可能かつ凹部５４内から取出し可能に抜止め保持する構成であればよい。例えば、弾性部材で形成された爪形状の抜止め機構等を採用しても良い。
【００６０】
また、枠体保持本体部５２には、スリット部５６が形成された側壁に隣接する一対の側壁に、凹部５４内に配設されたコネクタ保持用枠体３０を取出すための枠体取出部５７が形成されている。枠体取出部５７は、一対の側壁に、凹部５４に対するコネクタ保持用枠体３０の挿入方向に沿って、枠体保持本体部５２の開口側端部から底部５５側端部に亘って隙間として形成されている。この枠体取出部５７の間隔は、作業者が枠体取出部５７を通じて、手又は取出器具により、凹部５４内に配設されたコネクタ保持用枠体３０を把持して取出し可能な程度の間隔である。
【００６１】
また、枠体保持部材５０は、枠体保持本体部５２を一定位置に支持可能な支持部６０を備えている。支持部６０は、枠体保持本体部５２における凹部５４の底部５５側端部に取り付けられている。ここでは、支持部６０は、ネジ部６２とナット６４とで構成されている。そして、支持部６０は、支持対象部６８に、ネジ部６２を螺合或いは挿通し、ナット６４を締め付けすることで枠体保持本体部５２を支持可能である。これにより、枠体保持本体部５２をワイヤーハーネスＷＨの組立作業台上に支持することができる。そして、ワイヤーハーネスＷＨの組立作業台上で、複数のコネクタ１０を電気接続箱９０に接続する配列と略同じ位置関係で保持することができる。
【００６２】
ここで、上記支持部６０は、ネジ部６２とナット６４とで構成されるものに限られず、支持対象部６８に枠体保持本体部５２を支持可能であればよい。例えば、支持部６０は、支持対象部６８を挟んで枠体保持本体部５２を支持可能なクリップ形状に形成されていてもよい。
【００６３】
枠体保持部材５０は、ワイヤーハーネスＷＨの複数の端部の複数のコネクタ１０を保持する場合、ワイヤーハーネスＷＨの組立作業台上の対応する複数箇所に取り付けられていても良い。また、ベルトコンベアで複数の組立作業台が搬送されているような場合には、それぞれの組立作業台上の複数のコネクタ１０の位置に対応する位置に取り付けられていても良い。
【００６４】
＜５．コネクタ保持作業＞
次に、上記コネクタ保持用枠体３０、コネクタ抜止用保持部材４０及び枠体保持部５０を用いたコネクタ保持作業について説明する。説明に際して、図５、図８及び図１２を参照する。
【００６５】
ワイヤーハーネスＷＨの組立工程において、ワイヤーハーネスＷＨを構成する複数の電線Ｗは、それぞれ組立作業台上の組立位置に配設され、結束される。この複数の電線Ｗの端部の端子にはコネクタ１０が取り付けられている。そして、ワイヤーハーネスＷＨの結束後、別の作業場所に搬送され、その一の端部を構成する複数のコネクタ１０がまとめて電気接続箱９０に接続される。このとき、挿入する電気接続箱９０の接続穴部９２の位置によって、複数のコネクタ１０に取り付けられている電線Ｗの長さに過不足が生じる恐れがある。このため、電線Ｗの結束前に、ワイヤーハーネスＷＨの組立作業台上で、複数のコネクタ１０を電気接続箱９０に接続される配列と同じ位置関係で保持しておくことが望ましい。そこで、枠体保持部材５０を組立作業台上に取り付けて、コネクタ保持用枠体３０及びコネクタ抜止め保持部材４０により複数のコネクタ１０を電気接続箱９０に接続される配列と同じ位置関係で保持する。以下、ワイヤーハーネスＷＨの組立作業の電線Ｗ結束前の段階において、枠体保持部材５０が取り付けられた組立作業台上で、コネクタ保持用枠体３０及びコネクタ抜止め保持部材４０により複数のコネクタ１０を保持する作業について順を追って説明する。
【００６６】
まず、コネクタ保持用枠体３０を、組立作業台上に取り付けられた枠体保持部材５０の凹部５４内にその開口側から底部５５側に向けて、コネクタ挿入方向Ｐに沿って挿入する。このとき、コネクタ保持用枠体３０の挿入方向前方端縁部が枠体支持部５８に当接する位置まで挿入する。すると、コネクタ保持用枠体３０は、枠体支持部５８に支持されると共に枠体抜止部５３に係止する位置に配設される（図１２参照）。
【００６７】
次に、コネクタ保持用枠体３０を凹部５４内に配設した状態で、複数のコネクタ１０をそれぞれ対応する孔部３６に挿入する。このとき、コネクタ１０は、コネクタ１０の溝部１８の端縁部１９が係止部３８に係止して、係止爪部１６の先端部が孔部３６のコネクタ挿入方向Ｐ後方側端縁部と略一致する位置で保持される（図５参照）。
【００６８】
コネクタを挿入した後、凹部５４内に配設されているコネクタ保持用枠体３０にコネクタ抜止用保持部材４０をセットする。作業者は、コネクタ抜止用保持部材４０の第１爪部４２及び第２爪部４４を、枠体保持本体部５２の側方から一方のスリット部５６を通じて凹部５４内に差し込む。このとき、コネクタ抜止用保持部材４０を、第１爪部４２がコネクタ保持用枠体３０に対して凹部５４の開口側に位置し、第２爪部４４がコネクタ保持用枠体３０に対して凹部５４の底部５５側（コネクタ保持用枠体３０と底部５５との間）に位置するように配設する（図１２参照）。そして、作業者は、コネクタ抜止用保持部材４０の第１爪部４２の先端部４２ａ及び第２爪部４４の先端部が他方のスリット部５６を通じて枠体保持本体部５２の外方に露出する位置まで差し込む。この状態で、第１爪部４２は、複数のコネクタ１０の係止爪部１６の先端部に係止して複数のコネクタ１０を抜止め状に保持する（図８参照）。
【００６９】
コネクタ抜止用保持部材４０をコネクタ保持用枠体３０にセットした状態で、複数のコネクタ１０が挿入されたコネクタ保持用枠体３０を、枠体保持部材５０の凹部５４内から取出す。作業者は、枠体取出部５７を通じて、手又は取出器具によりコネクタ保持用枠体３０を把持してコネクタ保持用枠体３０の挿入方向（コネクタ挿入方向Ｐ）後方に向かって引き出すことができる。このとき、コネクタ保持用枠体３０は、その側面により枠体抜止部５３を押圧して、つまり、ボールプランジャーのボールをそのケース内に押し込めて取出される。また、コネクタ抜止め保持部材４０は、スリット部５６内をその基端部側から先端部側に向かって通り、コネクタ保持用枠体３０にセットされたまま取出される。
【００７０】
上記のようにして、複数のコネクタ１０は、コネクタ保持用枠体３０とコネクタ抜止用保持部材４０とにより、電気接続箱９０に接続される配列と略同じ位置関係を維持した状態で保持される。これにより、作業者はワイヤーハーネスＷＨの組立終了後、容易に当該ワイヤーハーネスＷＨを組立作業台から後の導通検査工程や電気接続箱への接続工程に搬送することができる。
【００７１】
そして、ワイヤーハーネスＷＨの組立終了後、次に組立てるワイヤーハーネスＷＨに対して、組立作業台上に取り付けられた枠体保持部材５０を用いて、コネクタ保持用枠体３０およびコネクタ抜止用保持部材４０により、コネクタ１０の保持作業を繰り返し行うことができる。
【００７２】
＜６．導通検査装置用のコネクタ保持部材＞
次に、導通検査装置用のコネクタ保持部材について説明する。図１３は導通検査装置８０用のコネクタ保持部材７０を示す斜視図、図１４は導通検査装置８０用のコネクタ保持部材７０を示す平面図、図１５は導通検査装置８０用のコネクタ保持部材７０を示す正面図、図１６は導通検査装置８０の概略図である。なお、図１４では、コネクタ保持用枠体３０、複数のコネクタ１０及び電線Ｗを二点差線で示し、電線Ｗを簡略化している。また、図１５では、コネクタ保持用枠体３０及びコネクタ抜止用保持部材４０を二点差線で示し、コネクタ保持用枠体３０を簡略化すると共に複数のコネクタ１０を省略して示している。
【００７３】
導通検査装置８０用のコネクタ保持部材７０は、複数のコネクタ１０に対する導通検査を行う導通検査装置８０において、コネクタ抜止用保持部材４０をセットしたコネクタ保持用枠体３０に挿入された複数のコネクタ１０を一定位置に保持する部材である。この導通検査装置８０用のコネクタ保持部材７０は、検査用保持部７２と柱状抜止部７８とを備えている。
【００７４】
検査用保持部７２は、複数のコネクタ１０が挿入されたコネクタ保持用枠体３０を一側方から挿入することで、コネクタ１０の先端部を露出させた状態でコネクタ保持用枠体３０を保持可能に構成されている。換言すると、検査用保持部７２は、導通検査装置８０において、複数のコネクタ１０が挿入されたコネクタ保持用枠体３０を、複数のコネクタ１０に対して導通検査可能な態様で保持可能に構成されている。ここでは、検査用保持部７２に対して、コネクタ保持用枠体３０は、その整列方向Ｓとコネクタ保持用枠体３０の挿入方向Ｔとが一致する姿勢で挿入される。そして、コネクタ保持用枠体３０を、挿入された複数のコネクタ１０の先端部を後述する導通検査装置８０の検査プローブに対向させる姿勢で保持可能である。この検査用保持部７２は、枠体収容部７４とコネクタ収容部７５とを有している。
【００７５】
枠体収容部７４は、検査用保持部７２に複数のコネクタ１０が挿入されたコネクタ保持用枠体３０を挿入したとき、コネクタ保持用枠体３０を収容可能である。この枠体収容部７４は、コネクタ保持用枠体３０より大きい（ここでは僅かに大きい）内部空間を有する凹形状に形成されている。
【００７６】
コネクタ収容部７５は、検査用保持部７２に複数のコネクタ１０が挿入されたコネクタ保持用枠体３０を挿入したとき、コネクタ保持用枠体３０のコネクタ挿入方向Ｐ両側から突出している複数のコネクタ１０を配設可能である。より具体的には、コネクタ収容部７５は、コネクタ保持用枠体３０の枠部３２が有する内部空間より大きい（ここでは僅かに大きい）内部空間を有する凹形状に形成されている。また、コネクタ収容部７５が有する内部空間は、上記枠体収容部７４が有する内部空間より小さく設定されている。
【００７７】
枠体収容部７４とコネクタ収容部７５とは、コネクタ収容部７５が枠体収容部７４の両側に位置するようにして、その内部空間が連続して形成されている。ここでは、コネクタ保持用枠体３０に挿入された複数のコネクタ１０は、連続した凹形状の開口から、枠体収容部７４及びコネクタ収容部７５に挿入される。そして、一方のコネクタ収容部７５には複数のコネクタ１０の先端部が配設され、他方のコネクタ収容部７５には複数のコネクタ１０の後端部が配設される。以下、上記一方のコネクタ収容部７５をコネクタ先端収容部７５ａとし、他方のコネクタ収容部７５をコネクタ後端収容部７５ｂとする。このコネクタ先端収容部７５ａの枠体収容部７４に対して反対側は、複数のコネクタ１０の先端部を露出可能に開放されている。また、枠体収容部７４内に配設されたコネクタ保持用枠体３０は、枠体収容部７４とその両側のコネクタ収容部７５との間の端縁部に係止してコネクタ挿入方向Ｐの移動を制限されている。
【００７８】
また、ここでは、コネクタ後端収容部７５ｂの枠体収容部７４に対して反対側には、コネクタ保持用枠体３０の両端の孔部３６に挿入されたコネクタ１０の各外側端部に係止して、各コネクタ１０をコネクタ挿入方向Ｐ後方側に抜止めする抜止段差部７６が形成されている。この抜止段差部７６は、複数のコネクタ１０の整列方向Ｓに沿って位置する先端縁部のうち、コネクタ保持用枠体３０の外方に面する先端縁部に当接可能である。この先端縁部は、後述する柱状抜止部７８が係止していない部分である。これにより、検査用保持部７２に配設された複数のコネクタ１０は、より確実に抜止めされ、安定した姿勢で導通検査可能である。ただし、この抜止段差部７６は、柱状抜止部７８の補助的にコネクタ１０を抜止めするものであり、必ずしも設けられていなくてもよい。
【００７９】
柱状抜止部７８は、検査用保持部７２に対するコネクタ保持用枠体３０の挿入方向Ｔに対して反対側に向けて突出している。ここでは、柱状抜止部７８は、略円柱形状に形成されている。この柱状抜止部７８は、上記コネクタ後端収容部７５ｂの枠体収容部７４に対して反対側に配設されている。ただし、この柱状抜止部７８は、略円柱形状に限られず、検査用保持部７２に配設されたコネクタ保持用枠体３０に挿入されている複数のコネクタ１０を、抜止め状に保持可能であり、かつ、後述のようにコネクタ抜止用保持部材４０の第１爪部４２に当接可能であればよい。例えば、柱状抜止部７８は、多角柱形状であってもよい。
【００８０】
この柱状抜止部７８の数は、整列方向Ｓにおける孔部３６の列間の数と同数だけ設けられる。ここでは、整列方向Ｓにおける孔部３６の列数が３列であるので、その列間の数に応じて２本設けられている。この数は、コネクタ抜止用保持部材４０の第１爪部４２及び第２爪部４４の対の組数と同数である。
【００８１】
上記柱状抜止部７８は、複数のコネクタ１０が挿入されたコネクタ保持用枠体３０を検査用保持部７２に配設した状態で、複数のコネクタ１０を抜止め状に保持可能である。すなわち、柱状抜止部７８は、複数のコネクタ１０に係止可能な位置に配設されているのである。より具体的には、柱状抜止部７８は、その周面が、複数のコネクタ１０の後端縁部のうち、コネクタ保持用枠体３０の仕切部３４の直線状仕切部３５ａ側に位置する各コネクタ１０の後端縁部に係止することにより、複数のコネクタ１０を抜止め状に保持する（図１４参照）。ここで、柱状抜止部７８は、複数のコネクタ１０の後端縁部に係止するものに限られず、複数のコネクタ１０を抜止め可能であればよい。例えば、柱状抜止部７８は、略角柱形状に形成され、係止爪部１６に係止可能な位置に配設されていてもよい。
【００８２】
また、柱状抜止部７８は、コネクタ保持用枠体３０が検査用保持部７２に挿入されるのに伴って、コネクタ保持用枠体３０にセットされたコネクタ抜止用保持部材４０を、押出すようにしてコネクタ保持用枠体３０から外すと共に、コネクタ抜止用保持部材４０の代わりにコネクタ１０を抜止め状に保持可能である。この柱状抜止部７８の配設位置は、コネクタ抜止め保持部材４０をセットしたコネクタ保持用枠体３０を検査用保持部７２に挿入する際、第１爪部４２の先端部４２ａに当接可能な位置でもある。より具体的には、柱状抜止部７８の先端部が、第１爪部４２の先端部４２ａのうち、コネクタ保持用枠体３０に挿入されている複数のコネクタ１０の後端よりコネクタ挿入方向Ｐ後方に位置する部分に当接する。
【００８３】
そして、コネクタ保持用枠体３０を枠体収容部７４内に配設する際に、柱状抜止部７８が第１爪部４２に当接した状態で、コネクタ保持用枠体３０が挿入される。すると、柱状抜止部７８は、コネクタ抜止用保持部材４０を整列方向Ｓに沿って徐々にコネクタ保持用枠体３０側方（コネクタ保持用枠体３０の挿入方向Ｔに対して反対側）に押出す（図１５参照）。そして、コネクタ保持用枠体３０全体が枠体収容部７４内に挿入された状態で、コネクタ抜止用保持部材４０は、柱状抜止部７８により完全にコネクタ保持用枠体３０から押出されて外される。このとき、柱状抜止部７８は、コネクタ抜止用保持部材４０の代わりに、上記のように、コネクタ１０を抜止め状に保持する。
【００８４】
ここでは、柱状抜止部７８は、コネクタ１０の後端に当接してコネクタ１０を抜止め保持する。柱状抜止部７８は、第１爪部４２と同様に係止爪部１６に当接してコネクタ１０を抜止め保持してもよい。つまり、柱状抜止部７８がコネクタ抜止用保持部材４０の代わりにコネクタ１０を抜止め状に保持するとは、コネクタ１０に対する当接箇所によらず、同方向へ抜止め状に保持する種々の場合を含む。
【００８５】
上記導通検査装置８０用のコネクタ保持部材７０は、導通検査装置８０において、コネクタ保持用枠体３０に挿入されている複数のコネクタ１０を導通検査可能な位置に配設される。より具体的には、コネクタ保持部材７０は、コネクタ保持用枠体３０に挿入されている複数のコネクタ１０を、各コネクタ１０の先端部が導通検査装置８０に設けられている検査プローブ８２と対向する姿勢で保持する。
【００８６】
当該検査プローブ８２は、導通検査に際して、複数のコネクタ１０の各端子収容部１４内に配設される各電線Ｗ端部の端子に接触可能に配設されている。ここでは、検査プローブ８２は、コネクタ保持用枠体３０に挿入されている複数のコネクタ１０の配列に応じた位置に設けられている。
【００８７】
複数のコネクタ１０の導通検査を行う際には、検査プローブ８２が、検査移動方向Ｍに沿ってコネクタ保持部材７０に保持されている複数のコネクタ１０に近接移動する。これにより、検査プローブ８２は、各コネクタ１０の先端部に形成された接続孔を介して端子収容部１４内に挿入される。そして、検査プローブ８２が各電線Ｗ端部の端子に接触したか否かは、電気信号として検査部８４に入力される。検査部８４は、導通の有無等に応じて、作業者に導通の良否を報知する。
【００８８】
上記構成により、本実施形態に係るコネクタ保持用枠体３０によると、複数のコネクタ１０を、コネクタ保持用枠体３０の対応する各孔部３６に挿入することにより、電気接続箱９０に接続する配列と略同じ位置関係に維持できる。このため、ワイヤーハーネスＷＨの組立作業において、複数の電線Ｗを結束する前に、組立作業台上で複数のコネクタ１０を当該位置関係に保持することができる。これにより、複数のコネクタ１０を電気接続箱９０に接続する際に、挿入する接続穴部９２の位置によって、コネクタ１０に取り付けられている電線Ｗの長さの過不足による電線Ｗの突っ張り、弛み等の発生を防ぐことができる。また、ワイヤーハーネスＷＨの組立後、電線Ｗ端部に取り付けられている複数のコネクタ１０を、コネクタ保持用枠体３０に配設して電気接続箱９０に接続する配列と略同じ位置関係を維持した状態で、容易に搬送することができる。
【００８９】
また、コネクタ１０が孔部３６に挿入された状態で、コネクタ１０を、その先端部が孔部３６から露出させた状態で可能である。このため、コネクタ１０の先端部から接続孔を通じて端子収容部１４内に検査プローブ８２を挿入可能であり、導通検査工程でコネクタ１０の導通検査を容易に行うことができる。
【００９０】
また、コネクタ１０が、孔部３６に挿入されると、コネクタ１０の溝部１８の端縁部１９が孔部３６内に形成された係止部３８に係止して、コネクタ挿入方向Ｐ前方に抜止め状に保持される。このため、コネクタ１０を孔部３６内で容易に位置決めできる。また、コネクタ１０が孔部３６内に配設される状態を手又は他の抜止め手段で保持しないままでも、ワイヤーハーネスＷＨの搬送を行うことができる。
【００９１】
また、本実施形態に係るコネクタ抜止用保持部材４０によると、第１爪部４２がコネクタ保持用枠体３０の孔部３６に挿入された複数のコネクタ１０の係止爪部１６に係止して、複数のコネクタ１０をその挿入方向Ｐに抜止め状に保持する。このため、複数のコネクタ１０が、ワイヤーハーネスＷＨの搬送時等にコネクタ保持用枠体３０の孔部３６から抜出すことを防止することができる。
【００９２】
つまり、複数のコネクタ１０をその挿入方向Ｐの両側に抜止め状に保持可能であり、コネクタ保持用枠体３０に挿入された複数のコネクタ１０を保持するためにバンド等で電線ごと巻き付けする必要性を除去することができる。これにより、バンド等の締め付けにより電線Ｗの折れ等のクセが付くことを避けて、電線Ｗの品質悪化を防止することができる。さらに、コネクタ保持用枠体３０に挿入された複数のコネクタ１０を導通検査装置のコネクタ保持部材にセットする際、電線Ｗがそのクセにより柱状抜止部７８に引っ掛かることを抑制することができる。つまり、作業者が電線Ｗの流れを整える作業を省略することができる。
【００９３】
また、第１爪部４２は、コネクタ保持用枠体３０のコネクタ挿入方向Ｐ後方に配設され、その先端部４２ａが徐々に先細り状に形成されている。そして、この先端部４２ａの先端が複数のコネクタ１０の間を通って、コネクタ抜止用保持部材４０がコネクタ保持用枠体３０にセットされる。このため、コネクタ抜止用保持部材４０をセットする際に、第１爪部４２の先端部４２ａが複数のコネクタ１０の各端子収容部１４内に挿入された各電線Ｗに引っ掛かるのを抑制し、容易にコネクタ抜止用保持部材４０をセットすることができる。
【００９４】
また、本実施形態に係る枠体保持部材５０によると、支持部６０により枠体保持本体部５２を所定位置に支持可能である。そして、枠体保持本体部５２を所定位置に支持した状態で、コネクタ保持用枠体３０を複数のコネクタ１０を挿入可能な姿勢で保持して、コネクタ１０を対応する孔部３６に挿入可能である。また、凹部５４内に配設されたコネクタ保持用枠体３０に複数のコネクタ１０を挿入した状態で、枠体保持本体部５２の側方からスリット部５６を介して、コネクタ抜止用保持部材４０を当該コネクタ保持用枠体３０にセット可能である。このため、ワイヤーハーネスＷＨの組立作業台上で、対象となる複数のコネクタ１０を電気接続箱９０に接続する配列と略同じ位置関係で維持し、その後、複数のコネクタ１０を当該位置関係で維持したまま容易にワイヤーハーネスＷＨを搬送することができる。
【００９５】
また、枠体保持部材５０の凹部５４に配設されるコネクタ保持用枠体３０を抜止め可能な枠体抜止部５３を有するため、コネクタ保持用枠体３０に複数のコネクタ１０を挿入する際に、コネクタ保持用枠体３０の抜出しを抑制することができる。これにより、安定してコネクタ保持用枠体３０にコネクタ１０を挿入することができる。
【００９６】
また、本実施形態に係る導通検査装置８０用のコネクタ保持部材７０によると、検査用保持部７２に、複数のコネクタ１０が挿入されたコネクタ保持用枠体３０を一側方から挿入することで、コネクタ１０の先端部を露出させた状態でコネクタ保持用枠体３０が保持される。そして、検査用保持部７２にコネクタ保持用枠体３０が挿入されるとき、柱状抜止部７８により、コネクタ抜止用保持部材４０が押出されてコネクタ保持用枠体３０から外され、コネクタ１０がコネクタ挿入方向Ｐ後方に抜止め状に保持される。このため、複数のコネクタ１０を、電気接続箱９０に接続する配列と略同じ位置関係に維持したまま一括して導通検査することができる。また、コネクタ保持用枠体３０からコネクタ抜止用保持部材４０を外す作業をコネクタ保持用枠体３０を検査用保持部７２に挿入する作業と同時に一作業として行えるため、作業効率を向上させることができる。さらに、柱状抜止部７８は、第１爪部４２に代わって複数のコネクタ１０を抜止め状に保持する際、当接している第１爪部４２に案内されて保持位置に配設される。このため、コネクタ保持用枠体３０が検査用保持部７２に挿入される際に、柱状抜止部７８が複数のコネクタ１０に取り付けられた複数の電線Ｗに引っ掛かることを抑制することができる。
【符号の説明】
【００９７】
１０  コネクタ
３０  コネクタ保持用枠体
３２  枠部
３４  仕切部
３６  孔部
３８  係止部
４０  コネクタ抜止用保持部材
４２  第１爪部
４４  第２爪部
５０  枠体保持部材
５２  枠体保持本体部
５４  凹部
５５  底部
５６  スリット部
６０  支持部
７０  導通検査装置用のコネクタ保持部材
７２  検査用保持部
７８  柱状抜止部
８０  導通検査装置
【図１】
2010218930.tif 000003
【図２】
2010218930.tif 000004
【図３】
2010218930.tif 000005
【図４】
2010218930.tif 000006
【図５】
2010218930.tif 000007
【図６】
2010218930.tif 000008
【図７】
2010218930.tif 000009
【図８】
2010218930.tif 000010
【図９】
2010218930.tif 000011
【図１０】
2010218930.tif 000012
【図１１】
2010218930.tif 000013
【図１２】
2010218930.tif 000014
【図１３】
2010218930.tif 000015
【図１４】
2010218930.tif 000016
【図１５】
2010218930.tif 000017
【図１６】
2010218930.tif 000018